(57)【要約】【課題】  エンドレスベルトの摺接部材に対する張りを緩くしても、回転ローラとの滑りが生じないようにその送りを円滑にし、摺接部材に対する摩擦抵抗を小さくしてエンドレスベルトの耐久性の向上を図る。【解決手段】  機台１０に設けられ支承板２２に支承されたエンドレスベルト２０を駆動機構２６により循環移動させる回転ローラ２３と、エンドレスベルト２０をその端部で摺接移動可能にガイドする摺接部材２５と、エンドレスベルト２０を上側から押圧してその間隔を回転ローラ２３の直径よりも小さくする押圧ローラ３０と、回転ローラ２３に対してエンドレスベルト２０を圧接させる圧接ローラ４０とを設け、圧接ローラ４０を押圧ローラ３０で構成し、圧接ローラ４０の圧接力を調整する圧接力調整機構４３を設け、摺接部材２５の前後方向位置を調整可能な位置調整機構５０を設けた。【選択図】  図１
2005245900.tif 000002
【特許請求の範囲】
【請求項１】
間隔を隔てて設けられるサイドフレームを有し接地される機台と、該機台のサイドフレーム間に配設され両端で折り返されて上側に位置して外面を走歩行者の走歩行面とする上側部及び下側に位置する下側部を形成するエンドレスベルトと、上記機台のサイドフレーム間に架設され該エンドレスベルトの上側部及び下側部間に介装されて該エンドレスベルトの上側部を摺接可能に支承する支承板と、上記エンドレスベルトの一方側の折り返し部の内側に設けられ該エンドレスベルトを循環移動させる回転ローラと、上記エンドレスベルトの他方側の折り返し部の内側に設けられ該エンドレスベルトを摺接移動可能にガイドする摺接部材と、上記回転ローラを回転駆動する駆動機構と、上記エンドレスベルトの上側部を下側部側に押圧して該上側部と下側部の間隔を上記回転ローラの直径よりも小さくする押圧ローラとを備えたランニングマシンにおいて、
上記回転ローラに対して上記エンドレスベルトを圧接させる圧接ローラを設けたことを特徴とするランニングマシン。
【請求項２】
上記圧接ローラを、上記押圧ローラで構成したことを特徴とする請求項１記載のランニングマシン。
【請求項３】
上記圧接ローラの圧接力を調整する圧接力調整機構を設けたことを特徴とする請求項１または２記載のランニングマシン。
【請求項４】
上記摺接部材の前後方向位置を調整可能な位置調整機構を設けたことを特徴とする請求項１，２または３記載のランニングマシン。
【請求項５】
上記摺接部材を上記支承板の端部で構成し、上記位置調整機構を該支承板の機台に対する取付け位置を可変にして上記摺接部材の前後方向位置を調整可能にする構成にしたことを特徴とする請求項４記載のランニングマシン。
【請求項６】
上記摺接部材を上記支承板の端部に設けられ該支承板とは別部材で構成し、上記位置調整機構を上記摺接部材の支承板に対する取付け位置を可変にして該摺接部材の前後方向位置を調整可能にする構成にしたことを特徴とする請求項４記載のランニングマシン。
【請求項７】
上記摺接部材を、上記支承板の一般面より突出させて形成したことを特徴とする請求項１，２，３，４，５または６記載のランニングマシン。
【請求項８】
接地面から上記エンドレスベルトの走歩行面までの高さが４０ｍｍ以下であることを特徴とする請求項１，２，３，４，５，６または７記載のランニングマシン。
【発明の詳細な説明】
【技術分野】
【０００１】
本発明は、健康のための運動用あるいは医療用等で主に室内で用いられるランニングマシンに関する。
【背景技術】
【０００２】
この種のランニングマシンとしては、例えば、図９に示すように、本願出願人が先に提案し、特許文献１（特開２００２−８５５８６号公報）に記載されたものが知られている。このランニングマシンは、乗り降りが容易にできるように薄型にしたもので、年寄りや障害者等にとって使用し易く、また、走歩行中に接地面に誤って脱落した場合にも、衝撃をできるだけ少なくできるようにしている。
【０００３】
図９に示すように、このランニングマシンは、間隔を隔てて設けられるサイドフレーム（図示せず）を有し接地される機台１と、機台１のサイドフレーム間に配設され両端で折り返されるエンドレスベルト２と、機台１のサイドフレーム間に架設されエンドレスベルト２の上側部及び下側部間に介装されてこのエンドレスベルト２の上側部を摺接可能に支承する支承板３と、エンドレスベルト２の一方側の折り返し部の内側に設けられエンドレスベルト２を循環移動させる回転ローラ４と、エンドレスベルト２の他方側の折り返し部の内側であって支承板３の端部に設けられエンドレスベルト２を摺接移動可能にガイドする摺接部材５と、回転ローラ４を回転駆動する電動モータ６ａ及びベルト伝動機構６ｂからなる駆動機構６と、エンドレスベルト２の上側部を下側部側に押圧して上側部と下側部の間隔Ｌを回転ローラ４の直径Ｄよりも小さくする押圧ローラ７とを備えて構成されている。
【０００４】
これによれば、押圧ローラ７によりエンドレスベルト２の上側部を下側部側に押圧して上側部と下側部の間隔Ｌを回転ローラ４の直径Ｄよりも小さくしたので、回転ローラ４の外径を小さくすることなく、接地面Ｇからエンドレスベルト２の走歩行面までの高さＨをできるだけ小さくすることができる。
【０００５】
ここで、支承板３の端部に、回転するローラではなく、エンドレスベルト２を摺接する摺接部材５を設けているのは、以下の理由による。接地面Ｇからエンドレスベルト２の走歩行面までの高さＨが小さいので、もしこの摺接部材５の代わりに回転するローラで構成すると、どうしてもその軸や軸受けが必要になることから、これに対応したローラ径のローラを設けることが構造的に困難になり、また、仮に、これに対応したローラ径のローラを設けることができたとしても、ローラ径が小さくなるので強度が弱く、エンドレスベルト２には相当な引っ張り力が作用することから、ローラに撓みや捩れが生じてしまい、エンドレスベルト２の円滑な摺動が行なわれなくなり、すぐに停止したり、エンドレスベルト２が左右に振れて機台に接触して損傷したりして、故障を招き易くなるからである。
【０００６】
そして、このランニングマシンを使用するときは、先ず、走歩行者は、エンドレスベルト２の他方側の折り返し部側からエンドレスベルト２に乗る。この場合、接地面Ｇからエンドレスベルト２の走歩行面までの高さＨが極めて低いので、極めて乗り易くなる。この状態で、エンドレスベルト２を循環移動させ、このエンドレスベルト２の移動スピードに合わせて上側部の走歩行面を走歩行する。この走歩行中に万一、走歩行がうまく行かないで、エンドレスベルト２の他方側の折り返し部側から脱落しても、接地面Ｇからエンドレスベルト２の走歩行面までの高さＨが極めて低いので、衝撃を緩和させることができるようになる。そして、走歩行をやめるときは、走歩行者は、エンドレスベルト２の他方側の折り返し部側から降りる。この場合も、接地面Ｇからエンドレスベルト２の走歩行面までの高さＨが極めて低いので、極めて降り易くなる。
【０００７】
【特許文献１】特開２００２−８５５８６号公報
【発明の開示】
【発明が解決しようとする課題】
【０００８】
ところで、このような従来のランニングマシンにあっては、薄型にした関係上、支承板３の端部にエンドレスベルト２を摺接移動可能にガイドする摺接部材５を設けているが、エンドレスベルト２には相当な引っ張り力が作用することから、摩擦抵抗が大きくなり、そのため、エンドレスベルト２の耐久性に少なからず影響するという問題があった。一方、これを解消しようとして、エンドレスベルト２の摺接部材５に対する張りを緩くして摩擦抵抗を小さくすると、回転ローラ４との滑りが生じ、エンドレスベルト２の円滑な送りに支障が生じてしまう。
【０００９】
本発明は上記の問題点に鑑みて為されたもので、エンドレスベルトの摺接部材に対する張りを緩くしても、回転ローラとの滑りが生じないようにし、エンドレスベルトの送りを円滑にできるようにし、摺接部材に対するエンドレスベルトの摩擦抵抗を小さくしてエンドレスベルトの耐久性の向上を図ったランニングマシンを提供することを目的とする。
【課題を解決するための手段】
【００１０】
このような課題を解決するための本発明のランニングマシンは、間隔を隔てて設けられるサイドフレームを有し接地される機台と、該機台のサイドフレーム間に配設され両端で折り返されて上側に位置して外面を走歩行者の走歩行面とする上側部及び下側に位置する下側部を形成するエンドレスベルトと、上記機台のサイドフレーム間に架設され該エンドレスベルトの上側部及び下側部間に介装されて該エンドレスベルトの上側部を摺接可能に支承する支承板と、上記エンドレスベルトの一方側の折り返し部の内側に設けられ該エンドレスベルトを循環移動させる回転ローラと、上記エンドレスベルトの他方側の折り返し部の内側に設けられ該エンドレスベルトを摺接移動可能にガイドする摺接部材と、上記回転ローラを回転駆動する駆動機構と、上記エンドレスベルトの上側部を下側部側に押圧して該上側部と下側部の間隔を上記回転ローラの直径よりも小さくする押圧ローラとを備えたランニングマシンにおいて、
上記回転ローラに対して上記エンドレスベルトを圧接させる圧接ローラを設けた構成としている。
【００１１】
これによれば、エンドレスベルトの摺接部材に対する張りを緩くしても、圧接ローラによって、回転ローラに対してエンドレスベルトが圧接させられるので、エンドレスベルトが回転ローラと圧接ローラとによって挾持されることになり、そのため、エンドレスベルトの回転ローラに対する滑りが抑制され、エンドレスベルトは円滑に送り出される。そして、摺接部材に対するエンドレスベルトの摩擦抵抗を小さくすることができるようになり、エンドレスベルトの耐久性の向上が図られる。
また、エンドレスベルトの上側部を下側部側に押圧して上側部と下側部の間隔を回転ローラの直径よりも小さくする押圧ローラを備えたので、回転ローラの外径を小さくすることなく、接地面からエンドレスベルトの走歩行面までの高さをできるだけ小さくすることができる。
【００１２】
そして、必要に応じ、上記圧接ローラを、上記押圧ローラで構成している。押圧ローラと圧接ローラを兼用できるので、それだけ部品点数が少なくて済み、コストダウンが図られる。
【００１３】
また、必要に応じ、上記圧接ローラの圧接力を調整する圧接力調整機構を設けた構成としている。回転ローラと圧接ローラとによるエンドレスベルトの挾持力を適正なものに調整することができ、エンドレスベルトの循環移動を円滑に行なわせることができる。
【００１４】
更に、必要に応じ、上記摺接部材の前後方向位置を調整可能な位置調整機構を設けた構成としている。この位置調整機構により、エンドレスベルトの摺接部材に対する張りを調整して摩擦抵抗を適正なものに調整することができ、エンドレスベルトの循環移動を円滑に行なわせることができ、確実にエンドレスベルトの耐久性の向上が図られる。
【００１５】
この場合、必要に応じ、上記摺接部材を上記支承板の端部で構成し、上記位置調整機構を該支承板の機台に対する取付け位置を可変にして上記摺接部材の前後方向位置を調整可能にする構成にしている。支承板の取付け位置を調整するだけで、エンドレスベルトの摺接部材に対する張りを調整して摩擦抵抗を適正なものに調整することができ、調整操作が容易に行なわれる。
【００１６】
また、この場合、必要に応じ、上記摺接部材を上記支承板の端部に設けられ該支承板とは別部材で構成し、上記位置調整機構を上記摺接部材の支承板に対する取付け位置を可変にして該摺接部材の前後方向位置を調整可能にする構成にしている。摺接部材の取付け位置を調整するだけで、エンドレスベルトの摺接部材に対する張りを調整して摩擦抵抗を適正なものに調整することができ、調整操作が容易に行なわれる。
【００１７】
また、必要に応じ、上記摺接部材を、上記支承板の一般面より突出させて形成している。エンドレスベルトの端部が摺接部材に対して持ち上げられるようになるので、エンドレスベルトの支承板の一般面に対する摩擦抵抗が少なくなり、そのため、この点でも、エンドレスベルトの耐久性の向上が図られる。
【００１８】
更に、必要に応じ、接地面から上記エンドレスベルトの走歩行面までの高さが４０ｍｍ以下である構成としている。走歩行者が、エンドレスベルトの他方側の折り返し部側からエンドレスベルトに乗る際に、あるいは、降りる際に、確実に乗降を容易にすることができ、更に、走歩行中に万一、走歩行がうまく行かないで、エンドレスベルトの他方側の折り返し部側から脱落しても、確実に衝撃を緩和して、安全性を向上させることができる。
【発明の効果】
【００１９】
本発明のランニングマシンによれば、エンドレスベルトの摺接部材に対する張りを緩くしても、圧接ローラによって、回転ローラに対してエンドレスベルトが圧接させられるので、エンドレスベルトの回転ローラに対する滑りを抑制することができ、エンドレスベルトを円滑に送り出すことができるとともに、摺接部材に対するエンドレスベルトの摩擦抵抗を小さくすることができるようになることから、エンドレスベルトの耐久性を大幅に向上させることができる。
また、エンドレスベルトの上側部を下側部側に押圧して上側部と下側部の間隔を回転ローラの直径よりも小さくする押圧ローラを備えたので、回転ローラの外径を小さくすることなく、接地面からエンドレスベルトの走歩行面までの高さをできるだけ小さくすることができ、そのため、エンドレスベルトの走歩行部を極めて薄型にすることができ、走歩行者が、エンドレスベルトの他方側の折り返し部側からエンドレスベルトに乗る際に、高さが低いので容易に乗ることができ、また、降りる際にも極めて容易に降りることができるようになる。更に、走歩行中に万一、走歩行がうまく行かないで、エンドレスベルトの他方側の折り返し部側から脱落しても、高さが低いので衝撃が緩和され、安全性を向上させることができる。
【発明を実施するための最良の形態】
【００２０】
以下、添付図面に基づいて、本発明の実施の形態に係るランニングマシンについて詳細に説明する。図１乃至図６に示すように、本発明の実施の形態に係るランニングマシンにおいて、１０は接地される機台であって、前側に設けられる矩形の金属製のベース板１１と、ベース板１１の両側から後方に延び間隔を隔てて設けられる一対の金属製棒状部材からなるサイドフレーム１２とを有して構成されている。ベース板１１の両側には側板１３が立設されている。尚、ベース板１１及びサイドフレーム１２の下側には接地されるゴム製の滑り止め板１４（図６）が付設される。
【００２１】
２０は可撓性の樹脂製のエンドレスベルトであって、機台１０のベース板１１及びサイドフレーム１２間に亘って配設され、両端で折り返されて上側に位置して外面を走歩行者の走歩行面２１とする上側部２０ａ及び下側に位置する下側部２０ｂを形成する。
２２は硬質の樹脂等で形成された支承板であって、機台１０のサイドフレーム１２間に架設されるとともに、エンドレスベルト２０の上側部２０ａ及び下側部２０ｂ間に介装されて、エンドレスベルト２０の上側部２０ａを摺接可能に支承する。
【００２２】
２３は回転ローラであって、エンドレスベルト２０の一方側の折り返し部の内側に設けられ、エンドレスベルト２０を循環移動させるものである。回転ローラ２３は、ベース板１１の側板１３間に架設された軸体２４に回転可能に軸支されている。また、図２に示すように、回転ローラ２３の位置は、回転ローラ２３の下端の接線Ｒａとエンドレスベルト２０の下側部２０ｂの支承板２２に沿う面Ｒｂとが一致するように設定されている。これにより、エンドレスベルト２０の下側部２０ｂを折曲させることなく回転ローラ２３に巻回できるので、構造が簡単で、抵抗を少なくしてエンドレスベルト２０の循環移動を円滑に行なわせることができる。
この回転ローラ２３には、金属製または樹脂製の本体に摩擦抵抗の高いゴム（図示せず）をライニングし、あるいは、金属製や樹脂製の本体にローレット（図示せず）を形成することが望ましい。これにより、エンドレスベルト２０に対する摩擦抵抗が増加しスリップが防止される。
【００２３】
２５はエンドレスベルト２０の他方側の折り返し部の内側に設けられ、エンドレスベルト２０を循環移動可能にガイドするとともに、エンドレスベルト２０に摺接可能な摺接部材である。図２及び図５に示すように、この摺接部材２５は、支承板２２の端部で構成されており、外周が断面半円形に形成されている。また、摺接部材２５は、支承板２２の一般面２２ａより寸法ｅだけ突出形成されている。
【００２４】
２６は回転ローラ２３を回転駆動する駆動機構である。駆動機構２６は、図１乃至図３に示すように、ベース板１１に設けられる電動モータ２７と、電動モータ２７の回転を回転ローラ２３に伝達する伝動機構２８とを備えて構成されている。伝動機構２８は、電動モータ２７の回転軸に設けられた駆動スプロケット２８ａと、回転ローラ２３の端部に同軸で設けられ軸体２４に回転可能に軸支される従動スプロケット２８ｂと、駆動スプロケット２８ａ及び従動スプロケット２８ｂに掛け渡されたタイミングベルト２８ｃとから構成されている。
【００２５】
３０は押圧ローラであり、図２に示すように、エンドレスベルト２０の上側部２０ａを下側部２０ｂ側に押圧して、上側部２０ａと下側部２０ｂの間隔Ｌを回転ローラ２３の直径Ｄよりも小さくするものである。押圧ローラ３０は、ベース板１１の側板１３に設けた取付部材３１間に架設された軸体３２に回転可能に軸支されている。従って、この押圧ローラ３０により、エンドレスベルト２０の上側部２０ａが下側部２０ｂ側に押圧されるので、図２に示すように、上側部２０ａと下側部２０ｂの間隔Ｌを回転ローラ２３の直径Ｄよりも小さくすることができ、極めて薄型になる。実施の形態では、接地面Ｇからエンドレスベルト２０の走歩行面２１までの高さＨが４０ｍｍ以下になるようにしている。例えば、Ｈ＝３０ｍｍに設定される。
【００２６】
４０は回転ローラ２３に対してエンドレスベルト２０を圧接させる圧接ローラである。圧接ローラ４０は、押圧ローラ３０で構成されている。押圧ローラと圧接ローラを兼用できるので、それだけ部品点数が少なくて済み、コストダウンが図られる。
【００２７】
４３は回転ローラ２３に対する圧接ローラ４０の圧接力を調整する圧接力調整機構である。圧接力調整機構４３は、図３に示すように、取付部材３１に形成され軸体３２が移動可能に挿通される長孔４４と、取付部材３１の電動モータ２７側の端部に外向きに設けられた外向き部材４５に回転可能に設けられ軸体３２にその軸線に直交して貫通形成された雌ネジ４６に螺合するボルト４７とを備えて構成されている。そして、このボルト４７を回転させることにより、軸体３２の雌ネジ４６のボルト４７に対する螺合位置を変えて、圧接ローラ４０（押圧ローラ３０）の位置調整を行ない、圧接ローラ４０（押圧ローラ３０）のエンドレスベルト２０に対する圧接力を調整できるようにしている。
【００２８】
５０は摺接部材２５の前後方向位置を調整可能な位置調整機構である。位置調整機構５０は、図１，図４及び図５に示すように、支承板２２の機台１０に対する取付け位置を可変にして、摺接部材２５の前後方向位置を調整可能にする構成にしてある。詳しくは、支承板２２の左右に、前後方向に所定間隔で複数の長孔５１を形成し、サイドフレーム１２にはこの長孔５１に挿通された取付けボルト５２が螺合する雌ネジ部５３を形成し、サイドフレーム１２に対して長孔５１の範囲で支承板２２を移動させることにより、摺接部材２５の前後方向位置を調整し、取付けボルト５２を雌ネジ部５３に締め付けることにより支承板２２を固定して、摺接部材２５の前後方向位置を設定できるようにしている。
【００２９】
また、図６に示すように、６０は地面からエンドレスベルト２０の他方側の折り返し部に至る傾斜面６１を有した傾斜板であり、機台１０に固定されている。図６中、６２は機台１０のベース板１１に設けられ電動モータ２７を覆うカバー、６３は電動モータ２７の回転数等を制御する制御装置であり、ベース板１１に立設されたアーチ状体６４に取付けられている。６５は走歩行者を支えて走歩行を容易にするための補助具であり、機台１０のサイドフレーム１２を跨ぎ走歩行者が把持可能なフレーム部材６６を備え、下端に搬送用の車輪６７を備えて構成されている。
【００３０】
次に、この実施の形態に係るランニングマシンを使用するときについて説明する。予め、圧接力調整機構４３で圧接ローラ４０（押圧ローラ３０）のエンドレスベルト２０に対する圧接力を調整しておく。これにより、エンドレスベルト２０が回転ローラ２３と圧接ローラ４０とによって挾持されるとともに、圧接力が適正なものに調整される。そのため、エンドレスベルト２０の回転ローラ２３に対する滑りが抑制され、エンドレスベルト２０は円滑に送り出される。
【００３１】
また、位置調整機構５０で、支承板２２の機台１０に対する取付け位置を調整し、摺接部材２５の前後方向位置を調整しておく。この場合、取付けボルト５２を緩め、支承板２２の取付け位置を調整し、再び取付けボルト５２を締め付けるだけの簡単な操作で、エンドレスベルト２０の摺接部材２５に対する張りを調整して摩擦抵抗を適正なものに調整することができ、調整操作が容易に行なわれる。これにより、摺接部材２５に対するエンドレスベルト２０の摩擦抵抗を小さくすることができるようになる。その結果、エンドレスベルト２０の循環移動が円滑に行なわれる。
【００３２】
ランニングマシンの使用においては、図６に示すように、先ず、走歩行者は、エンドレスベルト２０の他方側の折り返し部側からエンドレスベルト２０に乗る。この場合、傾斜板６０があるので、この傾斜板６０を踏んで徐々にエンドレスベルト２０に乗ることができ、容易に乗ることができる。また、この場合、エンドレスベルト２０の上側部２０ａと下側部２０ｂの間隔Ｌが小さいものになっているので、接地面Ｇからエンドレスベルト２０の走歩行面２１までの高さＨが４０ｍｍ以下と極めて低く、従来に比較して極めて乗り易くなっている。
【００３３】
この状態で、必要に応じて上記の補助具６５を用い、制御装置６３によって、駆動機構２６の電動モータ２７の回転数を適宜に設定して、エンドレスベルト２０を循環移動させ、このエンドレスベルト２０の移動スピードに合わせて上側部２０ａの走歩行面２１を走歩行する。
この場合、エンドレスベルト２０の循環移動においては、位置調整機構５０である程度エンドレスベルト２０の摺接部材２５に対する張りを緩くしても、圧接ローラ４０によって回転ローラ２３に対してエンドレスベルト２０が圧接させられるので、エンドレスベルト２０が回転ローラ２３と圧接ローラ４０とによって挾持されることになり、そのため、エンドレスベルト２０の回転ローラ２３に対する滑りが抑制され、エンドレスベルト２０は円滑に送り出される。そして、位置調整機構５０で摺接部材２５に対するエンドレスベルト２０の摩擦抵抗を小さく設定できるので、摩耗が少なくなり、それだけ、エンドレスベルト２０の耐久性が向上させられる。
更に、図５に示すように、摺接部材２５は、支承板２２の一般面２２ａより突出形成されていることから、エンドレスベルト２０の端部が摺接部材２５に対して持ち上げられるようになるので、それだけ、エンドレスベルト２０の支承板２２の一般面２２ａに対する摩擦抵抗が少なくなり、そのため、この点でも、エンドレスベルト２０の耐久性が向上させられる。
【００３４】
また、この走歩行中に万一、走歩行がうまく行かないで、エンドレスベルト２０の他方側の折り返し部側から脱落しても、傾斜板６０があるのでこの傾斜板６０に乗ることができ、それだけ、衝撃が緩和される。また、エンドレスベルト２０から脱落しても、エンドレスベルト２０の上側部２０ａと下側部２０ｂの間隔Ｌが小さいものになっているので、接地面Ｇからエンドレスベルト２０の走歩行面２１までの高さＨが４０ｍｍ以下と極めて低く、この点でも衝撃が緩和される。
【００３５】
そして、走歩行をやめるときは、制御装置６３によって、駆動機構２６の電動モータ２７を停止し、傾斜板６０を踏んで降りる。この場合も、傾斜板６０があるので、この傾斜板６０を踏んで徐々にエンドレスベルト２０から降りることができ、容易に降りることができる。また、この場合、エンドレスベルト２０の上側部２０ａと下側部２０ｂの間隔Ｌが小さいものになっているので、接地面Ｇからエンドレスベルト２０の走歩行面２１までの高さＨが４０ｍｍ以下と極めて低く、従来に比較して極めて降り易くなっている。
【００３６】
図７には、本発明の実施の形態に係るランニングマシンの別の例を示している。これは、押圧ローラ３０を回転ローラ２３から離間して設け、圧接ローラ４０を押圧ローラ３０とは別に電動モータ２７側に設けたものである。この押圧ローラ３０及び圧接ローラ４０の組み合わせによっても、上記と同様の作用，効果を奏する。
【００３７】
図８には、本発明の実施の形態に係るランニングマシンの摺接部材２５及び位置調整機構５０の変形例を示している。この変形例は、摺接部材２５を支承板２２とは別部材で構成し、位置調整機構５０を摺接部材２５の支承板２２に対する取付け位置を可変にして、摺接部材２５の前後方向位置を調整可能にする構成にしている。詳しくは、位置調整機構５０は、支承板２２の端部及び摺接部材２５の左右外側に、互いに対峙する突設体５５，５６を設け、支承板２２の突設体５５にはボルト５７を前後動不能に回転可能に支持し、摺接部材２５の突設体５６にはボルト５７が螺合する雌ネジ部５８を形成し、ボルト５７を回転させて雌ネジ部５８を介して摺接部材２５の突設体５６を前後動させることにより、摺接部材２５の前後方向位置を設定できるようにしている。これによっても上記と同様の作用，効果を奏する。
【００３８】
尚、上記圧接ローラは、複数設けてよいことは勿論である。また、支承板や摺接部材の材質は、できるだけエンドレスベルトとの摩擦抵抗が少なくなる材質がよく、樹脂、木材等の最適な材質のものを選択して良い。
【図面の簡単な説明】
【００３９】
【図１】本発明の実施の形態に係るランニングマシンを示す斜視図である。
【図２】本発明の実施の形態に係るランニングマシンを示す要部側面断面図である。
【図３】本発明の実施の形態に係るランニングマシンを示す要部側面図である。
【図４】本発明の実施の形態に係るランニングマシンを示す図２中Ａ−Ａ線断面図である。
【図５】本発明の実施の形態に係るランニングマシンの後端部の構成を拡大して示す一部切欠き側面図である。
【図６】本発明の実施の形態に係るランニングマシンの使用状態を示す斜視図である。
【図７】本発明の実施の形態に係るランニングマシンの別の例を示す図２相当要部側面断面図である。
【図８】本発明の実施の形態に係るランニングマシンの摺接部材及び位置調整機構の変形例を示す要部拡大図である。
【図９】従来のランニングマシンの一例を示す側面断面図である。
【符号の説明】
【００４０】
１０  機台
１１  ベース板
１２  サイドフレーム
１３  側板
１４  滑り止め板
２０  エンドレスベルト
２０ａ  上側部
２０ｂ  下側部
２１  走歩行面
２２  支承板
２３  回転ローラ
２４  軸体
Ｒａ  接線
Ｒｂ  エンドレスベルトの下側部の支承板に平行な面
２５  摺接部材
２６  駆動機構
２７  電動モータ
２８   伝動機構
２８ａ  駆動スプロケット
２８ｂ  従動スプロケット
２８ｃ  タイミングベルト
３０  押圧ローラ
Ｌ  エンドレスベルトの上側部と下側部との間隔
Ｄ  回転ローラの直径
Ｇ  接地面
Ｈ  接地面からエンドレスベルトの走歩行面までの高さ
３１  取付部材
３２  軸体
４０  圧接ローラ
４３  圧接力調整機構
４４  長孔
４５  外向き部材
４６  雌ネジ
４７  ボルト
５０  位置調整機構
５１  長孔
５２  取付けボルト
５３  雌ネジ部
５５，５６  突設体
５７  ボルト
５８  雌ネジ部
６０  傾斜板
６２  カバー
６３  制御装置
６５  補助具
【図１】
2005245900.tif 000003
【図２】
2005245900.tif 000004
【図３】
2005245900.tif 000005
【図４】
2005245900.tif 000006
【図５】
2005245900.tif 000007
【図６】
2005245900.tif 000008
【図７】
2005245900.tif 000009
【図８】
2005245900.tif 000010
【図９】
2005245900.tif 000011